(57)【要約】【課題】目の画像を撮影する際に、目の位置を装置に対して適切な位置に保持し、目の画像を確実に取得する。【解決手段】目の撮影を行う場合、筐体部３１に対して支持部材４０を略直角に開き、この支持部材４０の接触部４１を額に接触させて虹彩認証装置３０がぶれないように支持する。この状態では、筐体部表面に設けられたカメラ３２は、使用者の目の視線の先に所定の間隔Ｄの距離を維持した位置に位置付けされる。認証開始ボタンを押下すると、制御部５１の制御により、照明部５３の光源３３が発光して目が照射されると共に、撮影部５２のカメラ３２により目が撮影される。虹彩認識部５４により、撮影した目の画像から虹彩データが抽出され、虹彩認識辞書５５に登録されている虹彩データと比較されて、使用者が本人かどうかが認識される。【選択図】図１
2009199200.tif 000002
【特許請求の範囲】
【請求項１】
筐体部と、
個体の目の付近に接触させるための接触部を有し、前記接触部が前記筐体部の表面から所定距離だけ突出自在且つ前記所定距離だけ後退自在に前記筐体部に取り付けられた支持部材と、
前記筐体部に設けられ、前記支持部材が突出した状態下で、前記目に対して光を照射する照明手段と、
前記筐体部の表面側に設けられ、前記光で照射された前記目を撮影して前記目の画像を取得する撮影手段と、
前記筐体部に設けられ、前記取得された目の画像から虹彩データを抽出してこの抽出された虹彩データと予め登録された虹彩データとを照合して前記個体を認識する認識手段とを有し、
前記接触部材が突出して前記目の付近に接触している状態下において、前記撮影手段により前記撮影を行うことを特徴とする携帯型虹彩認証装置。
【請求項２】
前記支持部材は、前記筐体部に折り込み自在に取り付けられていることを特徴とする請求項１記載の携帯型虹彩認証装置。
【請求項３】
前記支持部材は、前記筐体部に対して伸縮自在に取り付けられていることを特徴とする請求項１記載の携帯型虹彩認証装置。
【請求項４】
前記支持部材は、前記筐体部の表面上の側辺において折り畳み自在に取り付けられていることを特徴とする請求項１記載の携帯型虹彩認証装置。
【請求項５】
前記支持部材は、前記筐体部に対して伸縮自在に取り付けられ、前記接触部が先端側に位置するロッドアンテナであることを特徴とする請求項１記載の携帯型虹彩認証装置。
【請求項６】
請求項１〜５のいずれか１項に記載の携帯型虹彩認証装置には、更に、
前記接触部に設けられ、前記接触部が前記目の付近に接触したことを検出して前記撮影を行わせる検出手段を有することを特徴とする携帯型虹彩認証装置。
【請求項７】
前記個体は、人であることを特徴とする請求項１〜６のいずれか１項に記載の携帯型虹彩認証装置
【発明の詳細な説明】
【技術分野】
【０００１】
本発明は、個体（例えば、人、動物等）の目の虹彩により個体の認証を行う携帯型虹彩認証装置において、目の画像を撮影する際に、目の位置を装置に対して適切な位置に保持し、目の画像を確実に取得できるようにした技術に関するものである。
【背景技術】
【０００２】
従来、人の目の虹彩部分の画像を用いた携帯型虹彩認証装置が、下記の文献等に開示されている。
【０００３】
【特許文献１】特開２００５−２９２５４２号公報
【特許文献２】特開２００５−３２７１６１号公報
【特許文献３】特開２００８−１５８８４号公報
【０００４】
図８は、特許文献１、２、３等に記載された従来の携帯型虹彩認証装置の外観を示す概略の構造図である。
【０００５】
この携帯型虹彩認証装置１０は、携帯端末装置である携帯電話機に搭載された装置であり、筐体部１１を有し、この筐体部１１の背面に、カメラ１２と、照明用光源１３と、表示部１４等とが設けられている。照明用光源１３は、カメラ１２により目を撮影し、この目の画像を取得する際、発光させて光を目に照射するものであり、その発光に同期してカメラ１２のシャッタを動作させ目を撮影するようになっている。筐体部１１内には、図示しない虹彩認証装置本体が設けられている。この携帯認証装置本体は、虹彩認証部、及び虹彩認識辞書等により構成されている。
【０００６】
図９は、図８の携帯型虹彩認証装置１０における使用状態を示す図である。
この図９には、携帯型虹彩認証装置１０により、使用者２０が目２１の撮影を行う際に、装置を目２１に位置付ける方法が示されている。
【０００７】
使用者２０は、携帯型虹彩認証装置１０を用いて目２１の認証を行う時には、筐体部１１を手２２で把持して自身の目２１の前方に掲げ、カメラ１２を目２１の視線の前方に位置付け、目２１とカメラ１２との間を所定の間隔Ｄだけ空けて撮影を行う。撮影された目２１の画像は、筐体部１１に内蔵された図示しない虹彩認識部へ送られ、目２１の画像から虹彩データが抽出され、図示しない虹彩認識辞書に予め格納され登録されている虹彩データと比較され、使用者２０が本人かどうか認識される。
【発明の開示】
【発明が解決しようとする課題】
【０００８】
しかしながら、従来の虹彩認証装置１０では、以下のような課題があった。
虹彩認証装置１０を用いて目２１を撮影する場合、目２１の画像を認識に適した状態で取得するために、図９に示す位置合わせの仕方では、目２１と虹彩認識装置１０との間隔Ｄは、カメラ１２の撮影距離等の設定に合わせ、一定の距離を維持する必要がある。しかし、従来の虹彩認証装置１０では、間隔Ｄが使用者２０の感覚に任せられており、最適な距離に合わせるのが難しい場合がある。更に、間隔Ｄが使用者２０の手ぶれ等により、常に一定に保たれるのが難しい場合もある。
【０００９】
このような場合には、正しい撮影距離にカメラ１２の位置合わせができないため、認証に適した目画像が撮影できず、結果として認証精度が低下したりすることがあった。
【課題を解決するための手段】
【００１０】
本発明の携帯型虹彩認証装置では、筐体部と、個体の目の付近に接触させるための接触部を有し、前記接触部が前記筐体部の表面から所定距離だけ突出自在且つ前記所定距離だけ後退自在に前記筐体部に取り付けられた支持部材と、前記筐体部に設けられ、前記支持部材が突出した状態下で、前記目に対して光を照射する照明手段と、前記筐体部の表面側に設けられ、前記光で照射された前記目を撮影して前記目の画像を取得する撮影手段と、前記筐体部に設けられ、前記取得された目の画像から虹彩データを抽出してこの抽出された虹彩データと予め登録された虹彩データとを照合して前記個体を認識する認識手段とを有している。そして、前記接触部材が突出して前記目の付近に接触している状態下において、前記撮影手段により前記撮影を行うことを特徴とする。
【発明の効果】
【００１１】
本発明によれば、目の撮影を行う際に、支持部材を筐体部表面の前方に突出させ、当該支持部材の接触部を目の付近に接触させて撮影を行う構成にしたので、虹彩認証装置の使用が不慣れな使用者であっても、容易且つ適切な距離で撮影手段に目を位置付けることができる。その結果、常に正しい目画像が撮影されるので、虹彩認証が高精度に行われるようになる。
【００１２】
前記支持部材を伸縮自在のロッドアンテナで構成した場合は、簡易な構成で、前記とほぼ同様の効果を得ることができ、コストダウンが図れる。
【００１３】
又、支持部材の接触部に検出手段を設けた場合、支持部材の接触部を目の付近に接触させると、これが検出手段により検出されて撮影動作が開始されるので、目の位置付けの姿勢で、複雑なキー操作をしないでスムースに撮影を行え、これにより、装置の操作性が向上する。
【発明を実施するための最良の形態】
【００１４】
本発明を実施するための最良の形態は、以下の好ましい実施例の説明を添付図面と照らし合わせて読むと、明らかになるであろう。但し、図面はもっぱら解説のためのものであって、本発明の範囲を限定するものではない。
【実施例１】
【００１５】
（実施例１の構成）
図１（Ａ）、（Ｂ）は、本発明の実施例１を示す携帯型虹彩認証装置の概略の構成図であり、同図（Ａ）は携帯型虹彩認証装置の外観図、及び、同図（Ｂ）は同図（Ａ）中の虹彩認証装置本体の構成図である。
【００１６】
図１（Ａ）に示す携帯型虹彩認証装置３０は、携帯端末装置（例えば、携帯電話機）に搭載され、個体（例えば、人）の虹彩を認証する装置であり、筐体部３１を有している。筐体部３１の正面側（即ち、表面側）には、レンズ、シャッタ等からなるカメラ３２と、光を発生する照明用光源３３等とが設けられている。更に、筐体部３１の任意の位置には、図１（Ｂ）に示すテンキー等の操作部３４と、図示しない液晶表示器等の表示部等とが設けられている。照明用光源３３は、カメラ３２により目を撮影し、この目の画像を取得する際、光を発生して目を照射するものであり、その光の発生に同期してカメラ３２のシャッタを動作させて目を撮影するようになっている。
【００１７】
筐体部３１の表面側には、矩形状の支持部材４０が折り込み可能に取り付けられている。矩形状の支持部材４０は、例えば、針金状の金属部品を矩形に折り曲げて加工したものであり、人の頭部中の目の付近の額に接触させるための直線状の接触部４１を有し、この接触部４１の両端から略直角に折り曲げられた支持部４２，４３がそれぞれ延設されている。各支持部４２，４３は、間隔Ｄ（例えば、１０ｃｍ前後）に相当する長さを有し、この各支持部４２，４３の端部が、筐体部３１の表面側の側辺近傍に形成された図示しない穴に回動可能に貫入されている。支持部材４０は、目を撮影するために筐体部表面に対して開いた状態（図１の実線で示された状態）では、略直角の位置で係止され、不使用時には、筐体部表面側に折り込まれた状態（図１の一点鎖線で示された状態）に変化する開閉可能な構造になっている。
いる。
【００１８】
図１（Ｂ）に示す虹彩認証装置本体５０は、筐体部３１に内蔵されており、操作部３４からの操作信号に基づき装置全体の動作を制御する制御部５１と、この制御部５１に接続され、カメラ３２を有する撮影手段（例えば、撮影部）５２と、この撮影部５２に接続され、光源３３を有する照明手段（例えば、照明部）５２と、撮影部５２に接続された認識手段（例えば、虹彩認識部）５４と、この虹彩認識部５４に接続された虹彩認識辞書５５等とを有している。
【００１９】
撮影部５２は、カメラ３２のレンズ、シャッタ等を動作させて、カメラ３２の前方に配置された被写体である目を撮影して目の画像を取得する機能を有している。照明部５３は、撮影部５２により目を撮影するタイミングに同期して、光源３３を発光させて光を目に照射する機能を有している。虹彩認識部５４は、撮影部５２から与えられる目の画像から虹彩データを抽出し、虹彩認識辞書５５に予め格納され登録されている虹彩データと比較することで、利用者が本人かどうかを認識する機能を有している。
【００２０】
このような虹彩認証機能に必要な各構成は、虹彩認証装置本体５０に組み込むソフトウェア、あるいは個別回路で構成されている。
【００２１】
なお、矩形状の支持部材４０の内側には、庇状の部材（例えば、遮光板）を取り付けてもよい。又、支持部材４０の接触部４１には、この部分が使用者の目の付近の額に接触したことを検出する検出手段（例えば、接触センサ）３６を設け、この接触センサ３６により、カメラ３２による撮影を起動するような構成にしてもよい。
【００２２】
（実施例１の動作）
図２は、図１の携帯型虹彩認証装置３０における使用状態を示す図である。
この図２には、携帯型虹彩認証装置３０により、使用者２０が目２１の撮影を行う際に、装置を目２１に位置付ける方法が示されている。
【００２３】
使用者２０は、携帯型虹彩認証装置３０を用いて目２１の撮影を行う場合、支持部材４０を、筐体部表面に対して略直角に開いて係止させ、突出させた状態にして、筐体部３１の一端を手２２で把持し、支持部材４０の接触部４１を額に接触させて虹彩認証装置３０がぶれないように支持する。この状態では、筐体部表面のカメラ３２は、使用者２０の目２１の視線の先に所定の間隔Ｄの距離を維持した位置に位置付けされる。所定の間隔Ｄは、認証に適した目画像が確実に撮影される距離（例えば、１０ｃｍ前後）である。
【００２４】
そして、操作部３４中の図示しない認証開始ボタンを押下する。すると、制御部５１の制御により、撮影部５２がカメラ３２を動作させて前方の目２１を撮影する。この際、照明部５３は、撮影部５２により目２１を撮影するタイミングに同期して、光源３３を発光させて目２１を照射する。虹彩認識部５４では、撮影した目２１の画像から虹彩データを抽出し、虹彩認識辞書５５に予め格納され登録されている虹彩データと比較することで、使用者２０が本人かどうかを認識する。
【００２５】
なお、支持部材４０の接触部４１に接触センサ３６が設けられている場合には、接触部４１が額に接触すると、これが接触センサ３６により検知され、制御部５１の制御によってカメラ３２による撮影が行われる。
【００２６】
使用者２０は、認証処理が終了すると、支持部材４０を筐体部表面側に折り込んで装置をしまう。
【００２７】
（実施例１の効果）
本実施例１によれば、次の（ａ）〜（ｃ）のような効果がある。
【００２８】
（ａ）  使用者２０が目２１の撮影を行う際に、支持部材４０を筐体部表面の前方に開いて突出させ、当該支持部材４０の接触部４１を使用者２０の額に接触させて撮影を行う構成になっているので、虹彩認証装置３０の使用が不慣れな使用者２０であっても、容易且つ適切な距離でカメラ３２に目２１を位置付けることができる。その結果、常に正しい目画像が撮影されるので、虹彩認証が高精度に行われるようになる。
【００２９】
（ｂ）  矩形状の支持部材４０の内側に庇状の遮光用部材を取り付けた場合、日光や他の外部照明等の影響を軽減できるため、虹彩認証に適した目画像が撮影されることとなり、その結果、虹彩認証精度が向上する。
【００３０】
（ｃ）  支持部材４０の接触部４１に接触センサ３６を設けた場合、使用者２０が支持部材４０の接触部４１を額に接触させると、これが接触センサ３６により検出されて撮影動作が開始される。そのため、目２１の位置付けの姿勢で、複雑なキー操作をしないでスムースに撮影を行えるので、装置の操作性が向上する。
【実施例２】
【００３１】
図３は、本発明の実施例２を示す携帯型虹彩認証装置の概略の構成図であり、実施例１を示す図１（Ａ）中の要素と共通の要素には共通の符号が付されている。
【００３２】
本実施例２の携帯型虹彩認証装置３０Ａでは、実施例１と同様の筐体部３１を有し、この筐体部３１の背面側（即ち、裏面側）に、矩形状の支持部材４０Ａが折り込み可能に取り付けられている。矩形状の支持部材４０Ａは、実施例１の支持部材４０とほぼ同様に、額に接触させるための直線状の接触部４１Ａと、この接触部４１Ａの両端から略直角に折り曲げられた支持部４２Ａ，４３Ａとにより構成されているが、実施例１とは異なり、各支持部４２Ａ，４３Ａの端部が、筐体部３１の裏面側の側辺近傍に形成された図示しない穴に回動可能に貫入されている。支持部材４０Ａは、目を撮影するために筐体部表面に対して開いた状態（図３の実線で示された状態）では、略直角の位置で係止され、不使用時には、筐体部裏面側に折り込まれた状態（図３の一点鎖線で示された状態）に変化する開閉可能な構造になっている。
【００３３】
なお、実施例１と同様に、矩形状の支持部材４０Ａの内側には、庇状の部材を取り付けてもよく、又、支持部材４０Ａの接触部４１Ａに接触センサ３６を設け、この接触センサ３６により、カメラ３２による撮影を起動するような構成にしてもよい。その他の構成は、実施例１と同様である。
【００３４】
本実施例２では、認証のための撮影を行う場合、支持部材４０Ａを、筐体部表面に対して略直角に開いて突出させた状態にし、撮影が終わると、支持部材４０Ａを筐体部裏面側に折り込んで装置をしまうようになっているので、実施例１とほぼ同様の作用効果を奏することができる。
【実施例３】
【００３５】
（実施例３の構成）
図４は、本発明の実施例３を示す携帯型虹彩認証装置の概略の構成図であり、実施例１を示す図１（Ａ）中の要素と共通の要素には共通の符号が付されている。
【００３６】
本実施例３の携帯型虹彩認証装置３０Ｂでは、実施例１と同様の筐体部３１を有し、この筐体部３１に、実施例１の支持部材４０とは異なる構成の伸縮自在のラジオアンテナ等の無線アンテナ式の矩形状の支持部材４０Ｂが取り付けられている。無線アンテナ式の矩形状の支持部材４０Ｂは、額に接触させるための直線状の接触部４１Ｂと、この接触部４１Ｂの両端から略直角に延設された伸縮可能な支持部４２Ｂ，４３Ｂとにより構成されている。伸縮可能な支持部材４２Ｂ，４３Ｂは、筐体部表面に対して略直角を維持しながら伸びて前方へ突出し（図４の実線で示された状態）、縮むと（図４の一点鎖線で示された状態）、筐体部３１側に収納される構造になっている。
【００３７】
なお、実施例１と同様に、矩形状の支持部材４０Ｂの内側には、庇状の部材を取り付けてもよく、又、支持部材４０Ｂの接触部４１Ｂに接触センサ３６を設け、この接触センサ３６により、カメラ３２による撮影を起動するような構成にしてもよい。その他の構成は、実施例１と同様である。
【００３８】
（実施例３の動作）
図２とほぼ同様に、使用者２０は目２１の撮影に際して、携帯型虹彩認証装置３０Ｂの支持部材４０Ｂを伸ばし、筐体部表面から支持部材４０Ｂを前方に突出させた状態で、当該支持部材４０Ｂの接触部４１Ｂを使用者２０の額に接触させる。接触部４１Ｂが使用者２０の額に接触して、携帯型虹彩認証装置３０Ｂを支えている状態では、カメラ３２と使用者２０の目２１との間隔Ｄは、認証に適した目画像が確実に撮影される距離に維持されている。実施例１と同様に、使用者２０は、この状態で目２１の撮影を行う。撮影が終了すると、支持部材４０Ｂを縮めて筐体部３１側に収納する。
【００３９】
（実施例３の効果）
本実施例３によれば、目２１を撮影する時に、筐体部表面から支持部材４０Ｂを伸張させて前方に突出させ、当該支持部材４０Ｂの接触部４１を使用者２０の額に接触させて撮影を行うようにしたので、実施例１の効果（ａ）〜（ｃ）とほぼ同様の効果が得られる。
【実施例４】
【００４０】
（実施例４の構成）
図５は、本発明の実施例４を示す携帯型虹彩認証装置の概略の構成図であり、実施例１を示す図１（Ａ）中の要素と共通の要素には共通の符号が付されている。
【００４１】
本実施例４の携帯型虹彩認証装置３０Ｃでは、実施例１と同様の筐体部３１を有し、この筐体部３１の表面側の側辺近傍に、実施例１の支持部材４０とは異なる構成の折り畳み自在のロッド状の支持部材４０Ｃが取り付けられている。ロッド状の支持部材４０Ｃは、蝶番等により折り畳み可能な支持部４１Ｃを有し、この支持部４１Ｃの一端部が、筐体部表面側の角に取り付けられており、他端部が、額に接触させるための接触部４２Ｃとなっている。折り畳み可能な支持部材４１Ｃは、開いた状態（図５の実線で示された状態から更に直線状に延びた状態）では、筐体部表面に対して略直角に前方へ突出し、折り畳んで縮めると（図５の一点鎖線で示された状態）、筐体部表面側に収納される構造になっている。
【００４２】
なお、実施例１と同様に、支持部材４０Ｃの先端に位置する接触部４２Ｃに接触センサ３６を設け、この接触センサ３６により、カメラ３２による撮影を起動するような構成にしてもよい。その他の構成は、実施例１と同様である。
【００４３】
（実施例４の動作）
図２とほぼ同様に、使用者２０は目２１の撮影に際して、携帯型虹彩認証装置３０Ｃの折り畳んである支持部材４０Ｃを延ばし、筐体部表面に対して略直角に開いた状態にして、支持部材４０Ｃの先端の接触部４２Ｃを、額に接触させて装置がぶれないように支持する。支持部材４０Ｃは、開いた状態では筐体部表面に対して略直角を維持するようにできている。支持部材４０Ｃの接触部４２Ｃが使用者２０の額に接触して、装置を支えている状態では、カメラ３２と使用者２０の目２１との間隔Ｄは、認証に適した目画像が確実に撮影される距離に維持されている。実施例１と同様に、使用者２０は、この状態で目２１の撮影を行う。撮影が終了すると、支持部材４０Ｃを縮めて筐体部表面側に収納する。
【００４４】
（実施例４の効果）
実施例４によれば、携帯型虹彩認証装置３０Ｃの筐体部表面側に蝶番等により折り畳み可能な支持部材４０Ｃを設けて、目２１を撮影する時に、折り畳まれた支持部材４０Ｃを筐体部表面の前方に開いて延ばして突出させ、当該支持部材４０Ｃの先端の接触部４１を、使用者２０の額に接触させて撮影を行うようにしたので、実施例１の効果（ａ）及び（ｃ）とほぼ同様の効果が得られる。
【実施例５】
【００４５】
（実施例５の構成）
図６は、本発明の実施例５を示す携帯型虹彩認証装置の概略の構成図であり、実施例１を示す図１（Ａ）中の要素と共通の要素には共通の符号が付されている。
【００４６】
本実施例５の携帯型虹彩認証装置３０Ｄでは、実施例１と同様の筐体部３１を有し、この筐体部３１に、実施例１の矩形状の支持部材４０とは異なる構成の伸縮可能なラジオアンテナ等のロッドアンテナからなる支持部材４０Ｄが回動自在に取り付けられている。ロッドアンテナからなる支持部材４０Ｄは、図６中の矢印で示されるように、長手方向に対して伸縮可能な構造になっており、先端が、額に接触させるための接触部４１Ｄとしての機能を有し、基部の支点４２Ｄが、筐体部側面側に回動自在に取り付けられ、支点４２Ｄを基準にして自由に方向が変更できるようになっている。支持部材４０Ｄは、縮むと筐体部３１側に収納される。この支持部材４０Ｄを実際の無線用アンテナとして利用する場合には、支点４２Ｄが、筐体部３１に内蔵された図示しない送受信回路に接続される。
【００４７】
なお、実施例１と同様に、支持部材４０Ｄの接触部４１Ｄに接触センサ３６を設け、この接触センサ３６により、カメラ３２による撮影を起動するような構成にしてもよい。その他の構成は、実施例１と同様である。
【００４８】
（実施例５の動作）
図２とほぼ同様に、使用者２０は目２１の撮影に際して、携帯型虹彩認証装置３０Ｄの支持部材４０Ｄを延ばし、筐体部表面に対して略直角の前方に突出させた状態で、当該支持部材４０Ｄの先端の接触部４１Ｄを、額に接触させて装置がぶれないように支持する。支持部材４０Ｄの先端の接触部４１Ｄが使用者２０の額に接触して、装置を支えている状態では、カメラ３２と使用者２０の目２１との間隔Ｄは、認証に適した目画像が確実に撮影される距離に維持されている。実施例１と同様に、使用者２０は、この状態で目２１の撮影を行う。撮影が終了すると、支持部材４０Ｄを縮めて筐体部側に収納する。
【００４９】
（実施例５の効果）
本実施例５によれば、１本のラジオアンテナ等のロッドアンテナにより支持部材４０Ｄを構成し、伸縮可能な構造として筐体部３１に設け、目２１を撮影する時には、支持部材４０Ｄを伸張させて筐体部表面の前方へ突出させ、先端の接触部４１Ｄを、使用者２０の額に接触させて撮影を行うようにしたので、１本のロッドアンテナを利用した簡易な構成で、実施例１の効果（ａ）及び（ｃ）とほぼ同様の効果を得ることができ、コストダウンが図れる。
【実施例６】
【００５０】
図７は、本発明の実施例６を示す携帯型虹彩認証装置の概略の構成図であり、実施例５を示す図６中の要素と共通の要素には共通の符号が付されている。
【００５１】
本実施例６の携帯型虹彩認証装置３０Ｅでは、実施例５と同様の筐体部３１を有し、この筐体部３１内に、実施例５のラジオアンテナ等のロッドアンテナからなる支持部材４０Ｄと同様のロッドアンテナからなる支持部材４０Ｅが、伸縮可能に収納されている。ロッドアンテナからなる支持部材４０Ｅは、図７中の矢印で示されるように、筐体部表面に対して略直角の長手方向に対して伸縮可能な構造になっており、先端が、額に接触させるための接触部４１Ｅとしての機能を有し、縮めると筐体部３１内に収納される。
【００５２】
本実施例６の支持部材４０Ｅは、実施例５の支持部材４０Ｄとほぼ同様の構造であるため、実施例５とほぼ同様の作用効果を奏することができる。
【００５３】
（変形例）
本発明は、上記実施例に限定されず、種々の利用形態や変形が可能である。この利用形態や変形例としては、例えば、次の（I）、（II）のようなものがある。
（I）  実施例では、虹彩認証装置３０〜３０Ｅを携帯電話機に搭載した例を説明したが、ＰＤＡ（Personal  Digital  Assistant）等の他の携帯端末装置に搭載してもよい。又、虹彩認証装置本体５０は、精度の向上や用途の拡大等を図るために、図示以外の他の機能ブロックを追加する等してもよい。
（II）  実施例では、人の目の虹彩認証装置について説明したが、本発明は、人以外の動物等の目の虹彩認証にも利用可能である。
【図面の簡単な説明】
【００５４】
【図１】本発明の実施例１を示す携帯型虹彩認証装置の概略の構成図である。
【図２】図１の携帯型虹彩認証装置における使用状態を示す図である。
【図３】本発明の実施例２を示す携帯型虹彩認証装置の概略の構成図である。
【図４】本発明の実施例３を示す携帯型虹彩認証装置の概略の構成図である。
【図５】本発明の実施例４を示す携帯型虹彩認証装置の概略の構成図である。
【図６】本発明の実施例５を示す携帯型虹彩認証装置の概略の構成図である。
【図７】本発明の実施例６を示す携帯型虹彩認証装置の概略の構成図である。
【図８】従来の携帯型虹彩認証装置の外観を示す概略の構造図である。
【図９】図８の携帯型虹彩認証装置における使用状態を示す図である。
【符号の説明】
【００５５】
３０，３０Ａ，３０Ｂ，３０Ｃ，３０Ｄ，３０Ｅ      携帯型虹彩認証装置
３１      筐体部
３２      カメラ
３３      光源
３６      接触センサ
４０，４０Ａ，４０Ｂ，４０Ｃ，４０Ｄ，４０Ｅ      支持部材
５０      虹彩認証装置本体
５２      撮影部
５３      照明部
５４      虹彩認識部
５５      虹彩認識辞書
【図１】
2009199200.tif 000003
【図２】
2009199200.tif 000004
【図３】
2009199200.tif 000005
【図４】
2009199200.tif 000006
【図５】
2009199200.tif 000007
【図６】
2009199200.tif 000008
【図７】
2009199200.tif 000009
【図８】
2009199200.tif 000010
【図９】
2009199200.tif 000011